(57)【特許請求の範囲】
【請求項１】
断面略Ｕ字型の把持本体と、上記把持本体に嵌め込んで分岐線を接続する接続体とから成り、当該接続体は、弾性の有る略直方体形状の絶縁カバーとこの絶縁カバーの上面に載置する上面略中央に貫通ネジ孔を穿ったネジ板とを有し、当該絶縁カバーの内部に下端が開口した略直方体形状の中空部を設け、この絶縁カバーの一側面に、上記中空部に繋がった挿入孔を有する略円筒状の分岐線の挿入部を設け、この絶縁カバーの上面略中央に上記中空部に繋がった貫通孔を穿ち、上記中空部の上部に下方に移動自在な下向きチャネル形状の押さえ金具を配置し、この押さえ金具の溝内部に板ばねを嵌め入れ、低圧幹線を上記把持本体のＵ字型奥部に挿入、把持し、被覆を剥がした分岐線の芯線を上記絶縁カバーの挿入部から挿入孔及び中空部に挿入して上記押さえ金具の溝内部の上記板ばねの下方に差し込んだ、当該絶縁カバーの下端の開口部から下向きチャネル形状の導電材から成るカットスルー刃を嵌め入れ、当該接続体を上記把持本体の上方からＵ字型内部に嵌め入れ、当該接続体の絶縁カバーの上面に載置したネジ板を把持本体に係止し、このネジ板の貫通ネジ孔に垂下部が絶縁材から成るボルトを螺着して締め付けて当該垂下部を絶縁カバーの貫通孔内を挿通させて、上記押さえ金具を押圧して下方へ移動させ、当該押さえ金具及び板ばねの押圧により上記分岐線を移動させ、これに伴いカットスルー刃を押圧して下方へ移動させて当該カットスルー刃を上記低圧幹線の被覆の上から芯線に刺してこの低圧幹線と上記分岐線とを電気的に接続させ、このカットスルー刃の低圧幹線の被覆への刺し込み箇所を上記絶縁カバーの下端縁で被って外部と遮断したことを特徴とする、防水型分岐コネクター。
【発明の詳細な説明】
【０００１】
【発明の属する技術分野】
この発明は、電力を供給している低圧幹線と、この低圧幹線から分岐して低圧需要家に供給を行う分岐線とを接続する防水型の分岐コネクターに関するものである。
【０００２】
【従来の技術】
近年来、電線類を地中に埋設する作業が行われており、電力供給の低負荷密度の地域においても、この作業を進める必要が出てきているが、上記低負荷密度地域への地中低圧供給は、従来の高負荷密度地域への供給方式と同様の方式で行うとコストアップとなり、電力供給者の負担が大きくなってしまう。そこで従来の低圧分岐装置を省略し、変圧器から直接低圧幹線を管路で引き回し、低圧需要家へは個々に分岐コネクターで接続して引き込む方法が、費用の面で低廉であり選択される。
【０００３】
【発明が解決しようとする課題】
しかしながら、分岐コネクター中で多く使用されている防水型コネクターを使用して、低圧幹線に分岐線を接続するには、まず低圧幹線のよりを戻し、当該低圧幹線の被覆を剥ぎ、同様に被覆を剥いだ分岐線とを合わせてスリーブ内に嵌め入れ、その後当該スリーブを油圧プレスなどで圧縮し、防水カバーを被せ、さらにテープで巻き回して防水処理を施すという作業を必要としていたため、非常に煩雑で時間も手間もかかり、広い分岐桝を必要とする。
【０００４】
この発明は、これらの点に鑑みて成されたもので、油圧プレス等の機器を必要とせず、低圧幹線の被覆を剥がすことなく、簡便、確実かつ安全に低圧幹線と分岐線を接続でき、さらに防水性も有する分岐コネクターを提供して上記課題を解決するものである。
【０００５】
【課題を解決するための手段】
この発明は、断面略Ｕ字型の把持本体と、上記把持本体に嵌め込んで分岐線を接続する接続体とから成り、当該接続体は、弾性の有る略直方体形状の絶縁カバーとこの絶縁カバーの上面に載置する上面略中央に貫通ネジ孔を穿ったネジ板とを有し、当該絶縁カバーの内部に下端が開口した略直方体形状の中空部を設け、この絶縁カバーの一側面に、上記中空部に繋がった挿入孔を有する略円筒状の分岐線の挿入部を設け、この絶縁カバーの上面略中央に上記中空部に繋がった貫通孔を穿ち、上記中空部の上部に下方に移動自在な下向きチャネル形状の押さえ金具を配置し、この押さえ金具の溝内部に板ばねを嵌め入れ、低圧幹線を上記把持本体のＵ字型奥部に挿入、把持し、被覆を剥がした分岐線の芯線を上記絶縁カバーの挿入部から挿入孔及び中空部に挿入して上記押さえ金具の溝内部の上記板ばねの下方に差し込んだ、当該絶縁カバーの下端の開口部から下向きチャネル形状の導電材から成るカットスルー刃を嵌め入れ、当該接続体を上記把持本体の上方からＵ字型内部に嵌め入れ、当該接続体の絶縁カバーの上面に載置したネジ板を把持本体に係止し、このネジ板の貫通ネジ孔に垂下部が絶縁材から成るボルトを螺着して締め付けて当該垂下部を絶縁カバーの貫通孔内を挿通させて、上記押さえ金具を押圧して下方へ移動させ、当該押さえ金具及び板ばねの押圧により上記分岐線を移動させ、これに伴いカットスルー刃を押圧して下方へ移動させて当該カットスルー刃を上記低圧幹線の被覆の上から芯線に刺してこの低圧幹線と上記分岐線とを電気的に接続させ、このカットスルー刃の低圧幹線の被覆への刺し込み箇所を上記絶縁カバーの下端縁で被って外部と遮断した防水型分岐コネクターとした。
【０００６】
【発明の実施の形態例】
次にこの発明の実施の形態例を図に基づいて説明する。
図１に示すのは、この発明の実施の形態例である防水型分岐コネクター１を使用して低圧幹線Ａと分岐線Ｂを接続した状態を示すものであって、当該防水型分岐コネクター１は、低圧幹線Ａを把持する把持本体２と、この把持本体２に嵌め込んで低圧幹線Ａと分岐線Ｂを接続する接続体３から成る。
把持本体２は、図２及び図３に示すように、断面略Ｕ字型の金属材又は樹脂材から成り、両方の側部２ａ、２ａの上部には、夫々接続体３を嵌め入れた際、この接続体３を係止固定する、貫通した係止穴２ｂ、２ｂを設けている。
【０００７】
接続体３は、全体としては図４に示すもので、図５に示すゴムカバー３ａ、図６に示す押さえ金具４、図７に示す板ばね５、図８に示す導電材から成るカットスルー刃６、図９に示すゴムカバー補強金具７、図１０に示すねじ板８、図１１に示す締め付けボルト９から成る。
絶縁材から成るゴムカバー３ａは、図５に示すように直方体の一側面に筒を取り付けた様な形状で、その内部に、下端が開口した直方体形状の中空部３ｂを設けており、このゴムカバー３ａの上面の中央部には上記中空部３ｂまで達した貫通孔３ｃを穿ち、一側面に横向きの円筒状の分岐線挿入部３ｄを設けている。この分岐線挿入部３ｄの中空孔は挿入孔３ｅとし、その奥部は、上記中空部３ｂと繋がっており、分岐線挿入部３ｄの外端部外周には、分岐線Ｂを挿入した際に締め付けて固定する締め付けバンド３ｆを設けている（図４参照）。
【０００８】
上記ゴムカバー３ａの下面は、低圧幹線Ａを把持した把持本体２に接続体３を嵌め入れた際、低圧幹線Ａとカットスルー刃６の接触箇所を密閉するようにゴムカバー３ａの下端面と低圧幹線Ａとが密着して接触する湾曲した形状となっている。この直方体形状の中空部３ｂ内の上部には、この中空部３ｂの横断面とほぼ同一の大きさの平面を有する、図６に示す下向きチャネル形状の押さえ金具４を、当該中空部３ｂの外周を形成するゴムカバー３ａの弾性により、当該中空部に密着して嵌め合わせている。この押さえ金具４の溝内部には、図７に示す二か所で屈曲した板ばね５、及び後に挿入される分岐線Ｂを挟んで、図８に示す下向きチャネル形状のカットスルー刃６が嵌め入れられ、カットスルー刃６の両下端部は、押さえ金具４の両下端部より内側に位置している。
【０００９】
またこのゴムカバー３ａの上面には、図９に示す当該上面と他側面を被う形で一側面が長い略チャネル型のゴムカバー補強金具７を被せており、このゴムカバー補強金具７の上面の中央部には、ゴムカバー３ａと同様に貫通孔７ａを穿っている。さらにこのゴムカバー補強金具７の上面には、図１０に示す方形状の平板で中央部に貫通した貫通ネジ孔８ａを穿ったネジ板８を載せており、このネジ板８の対向する一側面の中央部には、夫々上記把持本体２の各係止穴２ｂに係止する突片８ｂ、８ｂを設けている。またこの貫通ネジ孔８ａには、図１１に示す締め付けボルト９が螺着されており、この締め付けボルト９の垂下部は、上半分がネジ切り部９ａで、その先の下半分は絶縁丸棒９ｂとなり、当該絶縁丸棒９ｂ箇所が、ゴムカバー補強金具７の貫通孔７ａ及び絶縁カバー３ａの貫通孔３ｃに挿通されている。
【００１０】
次に図１及び図１２に基づいて、低圧幹線Ａにこの防水型分岐コネクター１を使用して、分岐線Ｂを接続する方法を述べる。
まず低圧幹線Ａにおける接続予定部分の被覆を清掃する。その後この低圧幹線Ａの清掃した箇所に把持本体２をその両側部２ａの上方からＵ字型の奥まで挿入する。そして接続する分岐線Ｂの先端部の被覆を一定長剥ぎ、接続体３の分岐線挿入部３ｄの挿入孔３ｅから当該分岐線Ｂの先端部の芯線が中空部３ｂの奥の側面に突き当たるまで差し込む。この時分岐線Ｂの被覆を剥いだ芯線の上方に、上記押さえ金具４の溝内部の屈曲した板ばね５が位置している。その後ゴムカバー３ａの下端の開口部から下向きチャネル形状のカットスルー刃６を嵌め入れる。この状態でカットスルー刃６の両下端部は、押さえ金具４の両下端部より下方の位置にある。
【００１１】
その後、分岐線Ｂの芯線を挿入したままの接続体３を、把持本体２のＵ字型内部の低圧幹線Ａを上から押さえるように把持本体２内に入れる。そして接続体３の上面に載せたネジ板８を、当該ネジ板８の両側の各突片８ｂを把持本体２の各係止穴２ｂに嵌め入れて、把持本体２に係止固定する。そして規定のトルクによって、締め付けボルト９を締め込んで、締め付けボルト９の垂下部で中空部３ｂ内の押さえ金具４を上方から押圧し、押さえ金具４と分岐線Ｂによって挟まれた屈曲した板ばね５を伸ばし、さらに押さえ金具４、板ばね５、分岐線Ｂの芯線、カットスルー刃６と順に押圧し、分岐線Ｂと直に接触しているカットスルー刃６の刃を低圧幹線Ａの被覆の上から内部の芯線部分に食い込ませることにより、低圧幹線Ａと分岐線Ｂとを電気的に接続する。この状態でカットスルー刃６の低圧幹線Ａの被覆への刺し込み箇所を上記ゴムカバー３の下端縁が被う形となっている。この後、接続体３の分岐線挿入部３ｄの締め付けバンド３ｆを締め付けて、挿入した分岐線Ｂが離れないようにする。
【００１２】
上記実施の形態例においては、略Ｕ字型の把持本体２を金属材又は樹脂材のものとしているが、これらの材質にこだわるものではない。接続体３にゴムカバー補強金具７や板ばね５、またねじ板８を含め、このねじ板８の両側に設けた突片８ｂを、把持本体２の両方の側部２ａ、２ａに設けた係止穴２ｂ、２ｂに係止固定しているが、これらの構成はこの発明の必須要件ではない。また押さえ金具４を接続体３内の中空部３ｂを形成するゴムカバーの弾性によって、当該中空部３ｂ内に止めて配置しているが、中空部３ｂ内に押さえ金具４を配置する方法は、これに限定するものではない。さらに絶縁カバーとしてゴムカバー３ａを使用しているが、絶縁カバーはゴム製のものに限定するものではなく、他の絶縁弾性材から成るものでもよい。
【００１３】
【発明の効果】
以上のようにこの発明によれば、低圧幹線から分岐線への分岐作業が、低圧幹線の被覆の上から分岐接続でき、幹線の皮剥き作業、圧縮工具による幹線と分岐線の接続作業、及び接続箇所のテーピング作業を必要としない、簡素化されたものとなり、作業時間及び作業スペースも大幅に短縮及び省略される。よって、活線接続も可能である。またこの発明の分岐コネクターの移設時の修復作業も、低圧幹線のカットスルー刃の刺し込み跡の外周にテープ巻きをするだけでよく、容易にできる。さらに分岐部をコンパクトにできるので、従来では多数条であったものを一条にできたり、埋設する管路径を小さなものにでき、それと共に埋設作業が容易にできる。これらの結果、分岐作業が低コストでできるので、非常に利便性の高いものである。また分岐線の被覆を剥いだ先端部、カットスルー刃、及び低圧幹線における接続する箇所を弾性の有る絶縁カバーで被覆し、特にカットスルー刃が低圧幹線に差し込む箇所を上記絶縁カバーで覆って密閉しているので防水性も高いものである。
【００１４】
更にこの発明によれば、押さえ金具の内部に板ばねを介して下向きチャネル形状の導電材から成るカットスルー刃を設けているので、締め付けボルトを締め込んだ際、分岐線の被覆を剥いだ部分を確実に押圧して保持することができ、またカットスルー刃を確実に押し下げることができる、という効果を有する。
【図面の簡単な説明】
【図１】この発明の実施の形態例の防水型分岐コネクターを使用して低圧幹線と分岐線を接続した状態の正面断面図である。
【図２】この発明の実施の形態例の防水型分岐コネクターの把持本体の正面図である。
【図３】この発明の実施の形態例の防水型分岐コネクターの把持本体の側面図である。
【図４】この発明の実施の形態例の防水型分岐コネクターの接続体の斜視図である。
【図５】この発明の実施の形態例の防水型分岐コネクターの接続体のゴムカバーの斜視図である。
【図６】この発明の実施の形態例の防水型分岐コネクターの接続体の押さえ金具の斜視図である。
【図７】この発明の実施の形態例の防水型分岐コネクターの接続体の板ばねの斜視図である。
【図８】この発明の実施の形態例の防水型分岐コネクターの接続体のカットスルー刃の斜視図である。
【図９】この発明の実施の形態例の防水型分岐コネクターの接続体のゴムカバー補強金具の斜視図である。
【図１０】この発明の実施の形態例の防水型分岐コネクターの接続体のねじ板の斜視図である。
【図１１】この発明の実施の形態例の防水型分岐コネクターの接続体の締め付けボルトの斜視図である。
【図１２】この発明の実施の形態例の防水型分岐コネクターを使用して低圧幹線と分岐線を接続した状態の側面断面図である。
【符号の説明】
１    防水型分岐コネクター        ２    把持本体
２ａ  側部                        ３    接続体
３ａ  ゴムカバー                  ３ｂ  中空部
３ｃ  貫通孔                      ３ｄ  分岐線挿入部
３ｅ  挿入孔                      ４    押さえ金具
５    板ばね                      ６    カットスルー刃
８    ネジ板                      ８ａ  貫通ネジ孔
９    締め付けボルト              ９ｂ  絶縁丸棒
Ａ    低圧幹線                    Ｂ    分岐線
【図１】
0004381549.tif 000002
【図２】
0004381549.tif 000003
【図３】
0004381549.tif 000004
【図４】
0004381549.tif 000005
【図５】
0004381549.tif 000006
【図６】
0004381549.tif 000007
【図７】
0004381549.tif 000008
【図８】
0004381549.tif 000009
【図９】
0004381549.tif 000010
【図１０】
0004381549.tif 000011
【図１１】
0004381549.tif 000012
【図１２】
0004381549.tif 000013